(57)【要約】  【課題】  レーザビームを照射することによりレーベル面に立体的な可視情報を正確に形成することができる光ディスク及び光ディスク装置を提供する。  【解決手段】  レーザビームＬ１、Ｌ２を出射してＤＶＤ５０に集光させ、レーザビームＬ２のＤＶＤ５０における焦点位置を光軸方向に移動させるＬＤ移動部４１を有する光ピックアップ１０と、ＤＶＤ５０に立体像を形成する際に、光ピックアップ１０からレーザビームＬ１を出射させるとともに前記立体像をＤＶＤ５０の厚さ方向に所定ピッチでスライスしたときの各断面形状を示すスライスデータに基づいてレーザビームＬ２を出射させるように制御し、さらに、レーザビームＬ２の焦点位置がＤＶＤ５０の厚さ方向に前記所定ピッチで移動するようにＬＤ移動部４１を制御する制御部１７とを備える。【選択図】      図４
2006134425.tif 000002
【特許請求の範囲】
【請求項１】
ピットまたはグルーブが形成されており第１のレーザビームが照射されることにより情
報の再生または記録がなされる情報記録層と、第１のレーザビームとは異なる波長帯域の
第２のレーザビームが照射されることにより可視情報が形成されるレーベル層と、前記情
報記録層とレーベル層との間に設けられ第１のレーザビームについての反射率が第２のレ
ーザビームについての反射率よりも高い二色性反射膜とを備えた光ディスクに対して、情
報の再生または記録と可視情報の形成とを行う光ディスク装置であって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子と、第２のレーザダイオードの位置を光軸方
向に移動させるレーザダイオード移動部とを有する光ピックアップと、
前記受光信号に含まれる前記ピットまたはグルーブの位置情報に基づいて前記トラッキ
ングアクチュエータを駆動して前記光ディスクに照射されるレーザビームのトラッキング
制御を行うとともに、前記受光信号に含まれる前記情報記録層における第１のレーザビー
ムの焦点情報に基づいて前記フォーカスアクチュエータを駆動して前記光ディスクに照射
されるレーザビームのフォーカス制御を行うサーボ回路と、
前記レーベル層に形成する可視情報が立体像である場合に、前記立体像を前記レーベル
層の厚さ方向に所定ピッチでスライスしたときの各断面形状を示すスライスデータを各断
面形状ごとに記憶する記憶部と、
前記レーベル層に前記立体像を形成する際に、第１のレーザダイオードドライバを駆動
するとともに前記記憶部に記憶されている前記各断面形状ごとのスライスデータに基づい
て第２のレーザダイオードドライバを駆動し、さらに、第２のレーザビームの前記レーベ
ル層における焦点位置が前記レーベル層の厚さ方向に前記所定ピッチで移動するように前
記レーザダイオード移動部を制御する制御部と、
を備えたことを特徴とする光ディスク装置。
【請求項２】
第１のレーザビームが照射されることにより情報の再生または記録がなされ第１のレー
ザビームとは異なる波長帯域の第２のレーザビームが照射されることにより可視情報が形
成される光ディスクに対して、情報の再生または記録と可視情報の形成とを行う光ディス
ク装置であって、
第１、第２のレーザビームを出射し、出射される第１、第２のレーザビームを前記光デ
ィスクに集光させ、第１のレーザビームの前記光ディスクからの反射光を受光し受光した
反射光に基づく受光信号を出力し、さらに、第２のレーザビームの前記光ディスクにおけ
る焦点位置を光軸方向に移動させる焦点位置移動手段を有する光ピックアップと、
前記受光信号に基づいて前記光ピックアップを操作することにより前記光ディスクに照
射されるレーザビームのフォーカス制御及びトラッキング制御を行うサーボ回路と、
前記レーベル層に形成する可視情報が立体像である場合に、前記立体像を前記レーベル
層の厚さ方向に所定ピッチでスライスしたときの各断面形状を示すスライスデータを各断
面形状ごとに記憶する記憶部と、
前記光ディスクに前記立体像を形成する際に、前記光ピックアップから第１のレーザビ
ームを出射させるとともに前記記憶部に記憶されている前記各断面形状ごとのスライスデ
ータに基づいて第２のレーザビームを出射させるように制御し、さらに、第２のレーザビ
ームの前記光ディスクにおける焦点位置が前記光ディスクの厚さ方向に前記所定ピッチで
移動するように前記焦点位置移動手段を制御する制御部と、
を備えたことを特徴とする光ディスク装置。
【請求項３】
ピットまたはグルーブが形成されており第１のレーザビームが照射されることにより情
報の再生または記録がなされる情報記録層と、第１のレーザビームとは異なる波長帯域の
第２のレーザビームが照射されることにより可視情報が形成されるレーベル層と、前記情
報記録層とレーベル層との間に設けられ第１のレーザビームについての反射率が第２のレ
ーザビームについての反射率よりも高い二色性反射膜とを備えた光ディスクに対して、情
報の再生または記録と可視情報の形成とを行う光ディスク装置であって、
第１、第２のレーザビームを出射し、出射される第１のレーザビームを前記情報記録層
に集光させるとともに出射される第２のレーザビームを前記レーベル層に集光させ、第１
のレーザビームの前記二色性反射膜からの反射光を受光し受光した反射光に基づく受光信
号を出力し、さらに、第２のレーザビームの前記レーベル層における焦点位置を光軸方向
に移動させる焦点位置移動手段を有する光ピックアップと、
前記受光信号に含まれる前記ピットまたはグルーブの位置情報と前記情報記録層におけ
る第１のレーザビームの焦点情報とに基づいて前記光ピックアップを操作して前記光ディ
スクに照射されるレーザビームのトラッキング制御及びフォーカス制御を行うサーボ回路
と、
前記レーベル層に形成する可視情報が立体像である場合に、前記立体像を前記レーベル
層の厚さ方向に所定ピッチでスライスしたときの各断面形状を示すスライスデータを各断
面形状ごとに記憶する記憶部と、
前記レーベル層に前記立体像を形成する際に、前記光ピックアップから第１のレーザビ
ームを出射させるとともに前記記憶部に記憶されている前記各断面形状ごとのスライスデ
ータに基づいて第２のレーザビームを出射させるように制御し、さらに、第２のレーザビ
ームの前記光ディスクにおける焦点位置が前記光ディスクの厚さ方向に前記所定ピッチで
移動するように前記焦点位置移動手段を制御する制御部と、
を備えたことを特徴とする光ディスク装置。
【請求項４】
前記光ピックアップは、
第１のレーザビームを出射する第１のレーザダイオードと、
第１のレーザダイオードを駆動する第１のレーザダイオードドライバと、
第２のレーザビームを出射する第２のレーザダイオードと、
第２のレーザダイオードを駆動する第２のレーザダイオードドライバと、
第１のレーザビームを前記光ディスクの情報記録層に集光させるとともに第２のレーザ
ビームを前記光ディスクのレーベル層に集光させる対物レンズと、
前記対物レンズを前記光ディスクの径方向に駆動するトラッキングアクチュエータと、
前記対物レンズを光軸方向に駆動するフォーカスアクチュエータと、
第１のレーザビームの前記二色性反射膜からの反射光を受光し受光した反射光に基づく
受光信号を出力する受光素子と、
前記焦点位置移動手段として、第２のレーザダイオードの位置を光軸方向に移動させる
レーザダイオード移動部と、
を有することを特徴とする請求項３に記載の光ディスク装置。
【請求項５】
前記サーボ回路は、前記受光信号に含まれる前記ピットまたはグルーブの位置情報に基
づいて前記トラッキングアクチュエータを駆動して前記光ディスクに照射されるレーザビ
ームのトラッキング制御を行うとともに、前記受光信号に含まれる前記情報記録層におけ
る第１のレーザビームの焦点情報に基づいて前記フォーカスアクチュエータを駆動して前
記光ディスクに照射されるレーザビームのフォーカス制御を行うことを特徴とする請求項
４に記載の光ディスク装置。
【請求項６】
前記制御部は、前記レーベル層に前記立体像を形成する際に、第１のレーザダイオード
ドライバを駆動するとともに前記スライスデータに基づいて第２のレーザダイオードドラ
イバを駆動し、さらに、第２のレーザビームの前記レーベル層における焦点位置を前記レ
ーベル層の厚さ方向に前記所定ピッチで移動させるように前記レーザダイオード移動部を
制御することを特徴とする請求項４または請求項５に記載の光ディスク装置。
【請求項７】
第１のレーザビームが照射されることにより情報の再生または記録がなされる情報記録
層と、第１のレーザビームとは異なる波長帯域の第２のレーザビームが照射されることに
より可視情報が形成されるレーベル層と、前記情報記録層とレーベル層との間に設けられ
第１のレーザビームについての反射率が第２のレーザビームについての反射率よりも高い
二色性反射膜とを備える光ディスクであって、
透明中間層をさらに備え、
前記二色性反射膜は、色素、誘電体膜、または、誘電体が積層されることにより構成さ
れた膜から成る二色性反射膜であり、
第１のレーザビームの波長帯域は、６３０ｎｍ〜６９０ｎｍであり、
第２のレーザビームの波長帯域は、７７０ｎｍ〜８００ｎｍであり、
前記レーベル層は、モノマー、オリゴマー、光重合開始剤、及び添加剤から構成された
光組成変化樹脂から成る樹脂基板であり、
前記情報記録層と前記レーベル層は、前記透明中間層を介して貼り合わされていること
を特徴とする光ディスク。
【請求項８】
第１のレーザビームが照射されることにより情報の再生または記録がなされる情報記録
層と、第１のレーザビームとは異なる波長帯域の第２のレーザビームが照射されることに
より可視情報が形成されるレーベル層とを備える光ディスクであって、
透明中間層をさらに備え、
前記情報記録層は、第１のレーザビームについての屈折率が反射率３０％以上を与える
ような値であり、第２のレーザビームについての透過率が９０％以上であり、さらに、色
素、誘電体膜、または、誘電体が積層されることにより構成された膜から成る二色性反射
膜から成り、
第１のレーザビームの波長帯域は、６３０ｎｍ〜６９０ｎｍであり、
第２のレーザビームの波長帯域は、７７０ｎｍ〜８００ｎｍであり、
前記レーベル層は、モノマー、オリゴマー、光重合開始剤、及び添加剤から構成された
光組成変化樹脂から成る樹脂基板であり、
前記情報記録層と前記レーベル層は、前記透明中間層を介して貼り合わされていること
を特徴とする光ディスク。
【請求項９】
第１のレーザビームが照射されることにより情報の再生または記録がなされる情報記録
層と、第１のレーザビームとは異なる波長帯域の第２のレーザビームが照射されることに
より可視情報が形成されるレーベル層とを備える光ディスクであって、
前記情報記録層とレーベル層との間に設けられ第１のレーザビームについての反射率が
第２のレーザビームについての反射率よりも高い二色性反射膜をさらに備え、
前記レーベル層は、光組成変化樹脂から成る樹脂基板であることを特徴とする光ディス
ク。
【請求項１０】
第１のレーザビームが照射されることにより情報の再生または記録がなされる情報記録
層と、第１のレーザビームとは異なる波長帯域の第２のレーザビームが照射されることに
より可視情報が形成されるレーベル層とを備える光ディスクであって、
前記情報記録層は、第１のレーザビームについての屈折率が反射率３０％以上を与える
ような値であり、第２のレーザビームについての透過率が９０％以上である二色性反射膜
から成り、
前記レーベル層は、光組成変化樹脂から成る樹脂基板であることを特徴とする光ディス
ク。
【請求項１１】
前記光組成変化樹脂は、モノマー、オリゴマー、光重合開始剤、及び添加剤から構成さ
れていることを特徴とする請求項９または請求項１０に記載の光ディスク。
【請求項１２】
前記二色性反射膜は、色素から成る二色性反射膜であることを特徴とする請求項９〜請
求項１１のいずれかに記載の光ディスク。
【請求項１３】
前記二色性反射膜は、誘電体膜、または、誘電体が積層されることにより構成された膜
から成る二色性反射膜であることを特徴とする請求項９〜請求項１１のいずれかに記載の
光ディスク。
【請求項１４】
第１のレーザビームの波長帯域は、６３０ｎｍ〜６９０ｎｍであり、第２のレーザビー
ムの波長帯域は、７７０ｎｍ〜８００ｎｍであることを特徴とする請求項９〜請求項１３
のいずれかに記載の光ディスク。
【請求項１５】
前記情報記録層と前記レーベル層は、前記透明中間層を介して貼り合わされていること
を特徴とする請求項９〜請求項１４のいずれかに記載の光ディスク。
【発明の詳細な説明】
【技術分野】
【０００１】
本発明は、光ディスク装置及びそれに用いられる光ディスクに関し、特に、レーザビー
ムを照射することにより光ディスクのレーベル面に立体的な可視情報の形成を行うことが
できるようにした光ディスク装置及びそれに用いられる光ディスクに関する。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の情報を再生したり
、そのような情報をその光ディスクに記録したりする光ディスク装置が提供されている。
【０００３】
また、情報が記録された光ディスクは、その記録されている内容が外観で認識できれば
便利であるため、ユーザは専用のプリンタ装置を用いて、その光ディスクに記録されてい
る内容を示す文字等（例えば、曲名や映画タイトル等）を円形のシートに印刷し、このシ
ートをその光ディスクの記録面と反対の面（以下、レーベル面という）に貼り付けるとい
うようなことを行っていた。
【０００４】
しかしながら、この方法では、ユーザは、専用のプリンタ装置を用意する必要や、その
専用プリンタ装置でのシートの印刷、印刷されたシートの光ディスクへの貼り付け等の煩
雑な作業を行う必要があった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視情報（例えば、曲名や映画タ
イトル等を示す文字等）を形成（印刷）することができる光ディスク及び光ディスク装置
が提供されるようになってきている。
【０００６】
そのような光ディスクの中には、基板上に形成され、前記基板側とは反対側であるレー
ベル面側から照射された光により可視情報が記録される可視情報記録層を備え、前記可視
情報記録層は、前記基板の半径の１／２の半径を持つ円周の外側の領域に形成されている
ことを特徴とする光情報記録媒体がある（例えば、特許文献１参照）。
【０００７】
また、支持基板の一の主面に光記録層を有する光学記録媒体であって、上記支持基板の
他の主面に、可逆性感熱発色性組成物を含有する可逆性記録層を有し、上記可逆性感熱発
色性組成物は、赤外線を吸収して発熱する光−熱変換材料を含有しているものであること
を特徴とする光学記録媒体もある（例えば、特許文献２参照）。
【特許文献１】特開２００４−２１３８１６号公報
【特許文献２】特開２００４−１８８８２６号公報
【発明の開示】
【発明が解決しようとする課題】
【０００８】
しかしながら、従来の光ディスク及び光ディスク装置を用いて、その光ディスクのレー
ベル面に形成できる可視情報は、平面的なものに限られており、立体像などの立体的な可
視情報を形成することはできなかった。
【０００９】
また、特許文献１に記載の従来の光情報記録媒体は、レーベル面に可視情報を記録する
ことによるディスクの反りを低減することはできるが、レーベル面に立体的な可視情報を
形成することはできなかった。
【００１０】
また、特許文献２に記載の従来の光学記録媒体は、レーベル面に画像やタイトル等の可
視情報を書き換え可能に記録することはできるが、やはり、記録される可視情報は平面的
なものに限られており、立体的な可視情報を記録することはできなかった。
【００１１】
本発明は、上記の課題を解決するためになされたもので、レーザビームを照射すること
により光ディスクのレーベル面に立体的な可視情報を正確に形成することができる光ディ
スク装置及びそれに用いられる光ディスクを提供することを目的とする。
【課題を解決するための手段】
【００１２】
上記目的を達成するために、請求項１の発明は、ピットまたはグルーブが形成されてお
り第１のレーザビームが照射されることにより情報の再生または記録がなされる情報記録
層と、第１のレーザビームとは異なる波長帯域の第２のレーザビームが照射されることに
より可視情報が形成されるレーベル層と、前記情報記録層とレーベル層との間に設けられ
第１のレーザビームについての反射率が第２のレーザビームについての反射率よりも高い
二色性反射膜とを備えた光ディスクに対して、情報の再生または記録と可視情報の形成と
を行う光ディスク装置であって、第１のレーザビームを出射する第１のレーザダイオード
と、第１のレーザダイオードを駆動する第１のレーザダイオードドライバと、第２のレー
ザビームを出射する第２のレーザダイオードと、第２のレーザダイオードを駆動する第２
のレーザダイオードドライバと、第１のレーザビームを前記情報記録層に集光させるとと
もに第２のレーザビームを前記レーベル層に集光させる対物レンズと、前記対物レンズを
前記光ディスクの径方向に駆動するトラッキングアクチュエータと、前記対物レンズを光
軸方向に駆動するフォーカスアクチュエータと、第１のレーザビームの前記二色性反射膜
からの反射光を受光し受光した反射光に基づく受光信号を出力する受光素子と、第２のレ
ーザダイオードの位置を光軸方向に移動させるレーザダイオード移動部とを有する光ピッ
クアップと、前記受光信号に含まれる前記ピットまたはグルーブの位置情報に基づいて前
記トラッキングアクチュエータを駆動して前記光ディスクに照射されるレーザビームのト
ラッキング制御を行うとともに、前記受光信号に含まれる前記情報記録層における第１の
レーザビームの焦点情報に基づいて前記フォーカスアクチュエータを駆動して前記光ディ
スクに照射されるレーザビームのフォーカス制御を行うサーボ回路と、前記レーベル層に
形成する可視情報が立体像である場合に、前記立体像を前記レーベル層の厚さ方向に所定
ピッチでスライスしたときの各断面形状を示すスライスデータを各断面形状ごとに記憶す
る記憶部と、前記レーベル層に前記立体像を形成する際に、第１のレーザダイオードドラ
イバを駆動するとともに前記記憶部に記憶されている前記各断面形状ごとのスライスデー
タに基づいて第２のレーザダイオードドライバを駆動し、第２のレーザビームの前記レー
ベル層における焦点位置が前記レーベル層の厚さ方向に前記所定ピッチで移動するように
前記レーザダイオード移動部を制御する制御部とを備えたことを特徴とする光ディスク装
置を提供する。
【００１３】
この構成によれば、前記光ディスクの情報記録層に対して前記光ピックアップの第１の
レーザダイオードから前記対物レンズを介して第１のレーザビームを照射して情報の再生
または記録を行うことができる。このとき、照射される第１のレーザビームは前記光ディ
スクの二色性反射膜で反射されるので、前記光ディスクのレーベル層に影響を及ぼすこと
はない。
【００１４】
また、前記レーベル層に対して前記光ピックアップの第２のレーザダイオードから前記
対物レンズを介して第２のレーザビームを前記情報記録層側から照射して前記レーベル層
に可視情報の形成を行うことができる。このとき、照射される第２のレーザビームは前記
二色性反射膜を透過して前記レーベル層に到達する。
【００１５】
そして、前記レーベル層に可視情報として立体像を形成する際には、前記記憶部に記憶
されている形成する立体像の所定ピッチごとの各断面形状のスライスデータに基づいて第
２のレーザビームが照射され、これにより、前記立体像の断面形状が前記レーベル層に形
成される。さらに、照射される第２のレーザビームの前記レーベル層における焦点位置が
前記レーベル層の厚さ方向に前記所定ピッチで移動するように、前記レーザダイオード移
動部が第２のレーザダイオードの位置を光軸方向に移動させるように制御されるので、前
記立体像の前記所定ピッチごとの断面形状が前記レーベル層内に前記所定ピッチで形成さ
れ積層される。
【００１６】
また、このとき、前記スライスデータに基づいて第２のレーザビームが照射されるだけ
でなく、第１のレーザビームも照射される。そして、サーボ回路により、照射された第１
のレーザビームの前記二色性反射膜からの反射光に基づく受光信号に含まれる前記情報記
録層のピットまたはグルーブの位置情報に基づいて前記対物レンズを駆動するトラッキン
グアクチュエータが駆動され前記光ディスクに照射されるレーザビームのトラッキング制
御が行われる。
【００１７】
また、前記サーボ回路により、前記受光信号に含まれる前記情報記録層における第１の
レーザビームの焦点情報に基づいて前記対物レンズを駆動するフォーカスアクチュエータ
が駆動され前記光ディスクに照射されるレーザビームのフォーカス制御が行われる。これ
により、第１、第２のレーザビームは同じ対物レンズにより集光されることから、第１、
第２のレーザビームの両方ともにトラッキング制御及びフォーカス制御がなされることに
なる。
【００１８】
請求項２の発明は、第１のレーザビームが照射されることにより情報の再生または記録
がなされ第１のレーザビームとは異なる波長帯域の第２のレーザビームが照射されること
により可視情報が形成される光ディスクに対して、情報の再生または記録と可視情報の形
成とを行う光ディスク装置であって、第１、第２のレーザビームを出射し、出射される第
１、第２のレーザビームを前記光ディスクに集光させ、第１のレーザビームの前記光ディ
スクからの反射光を受光し受光した反射光に基づく受光信号を出力し、さらに、第２のレ
ーザビームの前記光ディスクにおける焦点位置を光軸方向に移動させる焦点位置移動手段
を有する光ピックアップと、前記受光信号に基づいて前記光ピックアップを操作すること
により前記光ディスクに照射されるレーザビームのフォーカス制御及びトラッキング制御
を行うサーボ回路と、前記レーベル層に形成する可視情報が立体像である場合に、前記立
体像を前記レーベル層の厚さ方向に所定ピッチでスライスしたときの各断面形状を示すス
ライスデータを各断面形状ごとに記憶する記憶部と、前記光ディスクに前記立体像を形成
する際に、前記光ピックアップから第１のレーザビームを出射させるとともに前記記憶部
に記憶されている前記各断面形状ごとのスライスデータに基づいて第２のレーザビームを
出射させるように制御し、さらに、第２のレーザビームの前記光ディスクにおける焦点位
置が前記光ディスクの厚さ方向に前記所定ピッチで移動するように前記焦点位置移動手段
を制御する制御部とを備えたことを特徴とする光ディスク装置を提供する。
【００１９】
この構成によれば、前記光ディスクに対して前記光ピックアップから第１のレーザビー
ムを照射して情報の再生または記録を行うことができる。また、前記光ディスクに対して
前記光ピックアップから第２のレーザビームを照射して可視情報の形成を行うことができ
る。
【００２０】
そして、前記光ディスクに可視情報として立体像を形成する際には、前記記憶部に記憶
されている形成する立体像の所定ピッチごとの各断面形状のスライスデータに基づいて第
２のレーザビームが照射され、これにより、前記立体像の断面形状が前記光ディスクに形
成される。さらに、照射される第２のレーザビームの前記レーベル層における焦点位置が
前記レーベル層の厚さ方向に前記所定ピッチで移動するように前記焦点位置移動手段が制
御されるので、前記立体像の前記所定ピッチごとの断面形状が前記レーベル層内に前記所
定ピッチで形成され積層される。
【００２１】
また、このとき、前記スライスデータに基づいて第２のレーザビームが照射されるだけ
でなく、第１のレーザビームも照射される。そして、サーボ回路により、照射された第１
のレーザビームの前記光ディスクからの反射光に基づく受光信号に基づいて光ピックアッ
プが操作されることにより前記光ディスクに照射されるレーザビームのフォーカス制御及
びトラッキング制御が行われる。これにより、第１、第２のレーザビームは同じ光ピック
アップにより集光されることから、第１、第２のレーザビームの両方ともにトラッキング
制御及びフォーカス制御がなされることになる。
【００２２】
請求項３の発明は、ピットまたはグルーブが形成されており第１のレーザビームが照射
されることにより情報の再生または記録がなされる情報記録層と、第１のレーザビームと
は異なる波長帯域の第２のレーザビームが照射されることにより可視情報が形成されるレ
ーベル層と、前記情報記録層とレーベル層との間に設けられ第１のレーザビームについて
の反射率が第２のレーザビームについての反射率よりも高い二色性反射膜とを備えた光デ
ィスクに対して、情報の再生または記録と可視情報の形成とを行う光ディスク装置であっ
て、第１、第２のレーザビームを出射し、出射される第１のレーザビームを前記情報記録
層に集光させるとともに出射される第２のレーザビームを前記レーベル層に集光させ、第
１のレーザビームの前記二色性反射膜からの反射光を受光し受光した反射光に基づく受光
信号を出力し、さらに、第２のレーザビームの前記レーベル層における焦点位置を光軸方
向に移動させる焦点位置移動手段を有する光ピックアップと、前記受光信号に含まれる前
記ピットまたはグルーブの位置情報と前記情報記録層における第１のレーザビームの焦点
情報とに基づいて前記光ピックアップを操作して前記光ディスクに照射されるレーザビー
ムのトラッキング制御及びフォーカス制御を行うサーボ回路と、前記レーベル層に形成す
る可視情報が立体像である場合に、前記立体像を前記レーベル層の厚さ方向に所定ピッチ
でスライスしたときの各断面形状を示すスライスデータを各断面形状ごとに記憶する記憶
部と、前記レーベル層に前記立体像を形成する際に、前記光ピックアップから第１のレー
ザビームを出射させるとともに前記記憶部に記憶されている前記各断面形状ごとのスライ
スデータに基づいて第２のレーザビームを出射させるように制御し、さらに、第２のレー
ザビームの前記光ディスクにおける焦点位置が前記光ディスクの厚さ方向に前記所定ピッ
チで移動するように前記焦点位置移動手段を制御する制御部とを備えたことを特徴とする
光ディスク装置を提供する。
【００２３】
この構成によれば、前記光ディスクの情報記録層に対して光ピックアップから第１のレ
ーザビームを照射して情報の再生または記録を行うことができる。このとき、照射される
第１のレーザビームは前記光ディスクの二色性反射膜で反射されるので、前記光ディスク
のレーベル層に影響を及ぼすことはない。
【００２４】
また、前記レーベル層に対して前記光ピックアップから第２のレーザビームを前記情報
記録層側から照射して前記レーベル層に可視情報の形成を行うことができる。このとき、
照射される第２のレーザビームは前記二色性反射膜を透過して前記レーベル層に到達する
。
【００２５】
そして、前記レーベル層に可視情報として立体像を形成する際には、前記記憶部に記憶
されている形成する立体像の所定ピッチごとの各断面形状のスライスデータに基づいて第
２のレーザビームが照射され、これにより、前記立体像の断面形状が前記レーベル層に形
成される。さらに、照射される第２のレーザビームの前記レーベル層における焦点位置は
、前記レーベル層の厚さ方向に前記所定ピッチで移動するように制御されるので、前記立
体像の前記所定ピッチごとの断面形状が前記レーベル層内に前記所定ピッチで形成され積
層される。
【００２６】
また、このとき、前記スライスデータに基づいて第２のレーザビームが照射されるだけ
でなく、第１のレーザビームも照射される。そして、サーボ回路により、照射された第１
のレーザビームの前記二色性反射膜からの反射光に基づく受光信号に含まれる前記情報記
録層のピットまたはグルーブの位置情報に基づいて前記光ピックアップが操作され前記光
ディスクに照射されるレーザビームのトラッキング制御が行われる。
【００２７】
また、前記サーボ回路により、前記受光信号に含まれる前記情報記録層における第１の
レーザビームの焦点情報に基づいて前記光ピックアップが操作され前記光ディスクに照射
されるレーザビームのフォーカス制御が行われる。これにより、第１、第２のレーザビー
ムは同じ光ピックアップにより集光されることから、第１、第２のレーザビームの両方と
もにトラッキング制御及びフォーカス制御がなされることになる。
【００２８】
請求項４の発明では、請求項３の発明において、前記光ピックアップは、第１のレーザ
ビームを出射する第１のレーザダイオードと、第１のレーザダイオードを駆動する第１の
レーザダイオードドライバと、第２のレーザビームを出射する第２のレーザダイオードと
、第２のレーザダイオードを駆動する第２のレーザダイオードドライバと、第１のレーザ
ビームを前記光ディスクの情報記録層に集光させるとともに第２のレーザビームを前記光
ディスクのレーベル層に集光させる対物レンズと、前記対物レンズを前記光ディスクの径
方向に駆動するトラッキングアクチュエータと、前記対物レンズを光軸方向に駆動するフ
ォーカスアクチュエータと、第１のレーザビームの前記二色性反射膜からの反射光を受光
し受光した反射光に基づく受光信号を出力する受光素子と、前記焦点位置移動手段として
、第２のレーザダイオードの位置を光軸方向に移動させるレーザダイオード移動部とを有
するようにしている。
【００２９】
請求項５の発明では、請求項４の発明において、前記サーボ回路は、前記受光信号に含
まれる前記ピットまたはグルーブの位置情報に基づいて前記トラッキングアクチュエータ
を駆動して前記光ディスクに照射されるレーザビームのトラッキング制御を行うとともに
、前記受光信号に含まれる前記情報記録層における第１のレーザビームの焦点情報に基づ
いて前記フォーカスアクチュエータを駆動して前記光ディスクに照射されるレーザビーム
のフォーカス制御を行うようにしている。
【００３０】
請求項６の発明では、請求項４または請求項５の発明において、前記制御部は、前記レ
ーベル層に前記立体像を形成する際に、第１のレーザダイオードドライバを駆動するとと
もに前記スライスデータに基づいて第２のレーザダイオードドライバを駆動し、さらに、
第２のレーザビームの前記レーベル層における焦点位置を前記レーベル層の厚さ方向に前
記所定ピッチで移動させるように前記レーザダイオード移動部を制御するようにしている
。
【００３１】
請求項７の発明は、第１のレーザビームが照射されることにより情報の再生または記録
がなされる情報記録層と、第１のレーザビームとは異なる波長帯域の第２のレーザビーム
が照射されることにより可視情報が形成されるレーベル層と、前記情報記録層とレーベル
層との間に設けられ第１のレーザビームについての反射率が第２のレーザビームについて
の反射率よりも高い二色性反射膜とを備える光ディスクであって、透明中間層をさらに備
え、前記二色性反射膜は、色素、誘電体膜、または、誘電体が積層されることにより構成
された膜から成る二色性反射膜であり、第１のレーザビームの波長帯域は、６３０ｎｍ〜
６９０ｎｍであり、第２のレーザビームの波長帯域は、７７０ｎｍ〜８００ｎｍであり、
前記レーベル層は、モノマー、オリゴマー、光重合開始剤、及び添加剤から構成された光
組成変化樹脂から成る樹脂基板であり、前記情報記録層と前記レーベル層は、前記透明中
間層を介して貼り合わされていることを特徴とする光ディスクを提供する。
【００３２】
請求項８の発明は、第１のレーザビームが照射されることにより情報の再生または記録
がなされる情報記録層と、第１のレーザビームとは異なる波長帯域の第２のレーザビーム
が照射されることにより可視情報が形成されるレーベル層とを備える光ディスクであって
、透明中間層をさらに備え、前記情報記録層は、第１のレーザビームについての屈折率が
反射率３０％以上を与えるような値であり、第２のレーザビームについての透過率が９０
％以上であり、さらに、色素、誘電体膜、または、誘電体が積層されることにより構成さ
れた膜から成る二色性反射膜から成り、第１のレーザビームの波長帯域は、６３０ｎｍ〜
６９０ｎｍであり、第２のレーザビームの波長帯域は、７７０ｎｍ〜８００ｎｍであり、
前記レーベル層は、モノマー、オリゴマー、光重合開始剤、及び添加剤から構成された光
組成変化樹脂から成る樹脂基板であり、前記情報記録層と前記レーベル層は、前記透明中
間層を介して貼り合わされていることを特徴とする光ディスクを提供する。
【００３３】
請求項９の発明は、第１のレーザビームが照射されることにより情報の再生または記録
がなされる情報記録層と、第１のレーザビームとは異なる波長帯域の第２のレーザビーム
が照射されることにより可視情報が形成されるレーベル層とを備える光ディスクであって
、前記情報記録層とレーベル層との間に設けられ第１のレーザビームについての反射率が
第２のレーザビームについての反射率よりも高い二色性反射膜をさらに備え、前記レーベ
ル層は、光組成変化樹脂から成る樹脂基板であることを特徴とする光ディスクを提供する
。
【００３４】
請求項１０の発明は、第１のレーザビームが照射されることにより情報の再生または記
録がなされる情報記録層と、第１のレーザビームとは異なる波長帯域の第２のレーザビー
ムが照射されることにより可視情報が形成されるレーベル層とを備える光ディスクであっ
て、前記情報記録層は、第１のレーザビームについての屈折率が反射率３０％以上を与え
るような値であり、第２のレーザビームについての透過率が９０％以上である二色性反射
膜から成り、前記レーベル層は、光組成変化樹脂から成る樹脂基板であることを特徴とす
る光ディスクを提供する。
【００３５】
請求項１１の発明では、請求項９または請求項１０の発明において、前記光組成変化樹
脂は、モノマー、オリゴマー、光重合開始剤、及び添加剤から構成されていることを特徴
とする。
【００３６】
請求項１２の発明では、請求項９〜請求項１１のいずれかの発明において、前記二色性
反射膜は、色素から成る二色性反射膜であることを特徴とする。
【００３７】
請求項１３の発明では、請求項９〜請求項１１のいずれかの発明において、前記二色性
反射膜は、誘電体膜、または、誘電体が積層されることにより構成された膜から成る二色
性反射膜であることを特徴とする。
【００３８】
請求項１４の発明では、請求項９〜請求項１３のいずれかの発明において、第１のレー
ザビームの波長帯域は、６３０ｎｍ〜６９０ｎｍであり、第２のレーザビームの波長帯域
は、７７０ｎｍ〜８００ｎｍであることを特徴とする。
【００３９】
請求項１５の発明では、請求項９〜請求項１４のいずれかの発明において、前記情報記
録層と前記レーベル層は、前記透明中間層を介して貼り合わされていることを特徴とする
。
【００４０】
尚、本発明が適用される光ディスク及び光ディスク装置において、「可視情報」とは、
平面的または立体的に構成された文字、記号、イラストや写真等の画像、幾何学的な模様
などの目視で読み取れる情報を意味する。
【発明の効果】
【００４１】
以上のように本発明によれば、光ディスクに対して光ピックアップから第１のレーザビ
ームを照射することにより情報の再生または記録を行うことができ、また、前記光ディス
クに対して前記光ピックアップから第２のレーザビームを照射して立体的な可視情報の形
成を行うことができる光ディスク装置が実現できる。
【００４２】
また、本発明によれば、光ディスクに立体的な可視情報、即ち、立体像の形成を行う際
には、形成する立体像の所定ピッチごとの各断面形状のスライスデータに基づいて第２の
レーザビームが照射されるだけでなく、第１のレーザビームも照射され、サーボ回路が照
射された第１のレーザビームの前記光ディスクからの反射光に基づく受光信号に基づいて
光ピックアップを操作することにより前記光ディスクに照射されるレーザビームのフォー
カス制御及びトラッキング制御が行われるので、第１、第２のレーザビームは同じ光ピッ
クアップにより集光されることから、第１、第２のレーザビームの両方ともにトラッキン
グ制御及びフォーカス制御がなされることになり、光ディスクのレーベル面に立体像を正
確に形成することができる。
【００４３】
また、本発明によれば、光ディスクの情報記録層側から第１のレーザビームが照射され
ることにより、該情報記録層における情報の再生または記録がなされ、また、情報記録層
側から第２のレーザビームが照射されることにより、第２のレーザビームが二色性反射膜
を透過してレーベル層に到達し、該レーベル層において可視画像の形成がなされるように
することができる。即ち、レーザビームの照射により、情報記録層における情報の再生ま
たは記録と、レーベル層における可視画像の形成とが可能となる光ディスクが実現できる
。
【００４４】
また、二色性反射膜は、第１のレーザビームについての反射率が第２のレーザビームの
反射率よりも高い材料、または、第１のレーザビームについての屈折率が反射率３０％以
上を与えるような値であって、第２のレーザビームについての透過率が９０％以上である
材料で構成されるため、情報記録層側から照射される第１のレーザビームが効率良く利用
できることから、光ディスクにおける情報の記録精度を向上させることができる。
【００４５】
また、二色性反射膜が設けられることにより、情報記録層に対する情報の再生または記
録のために照射されるレーザビームによってレーベル層に意図しない影響を与えることを
回避できる。これにより、本発明は、光ディスクの薄型化や、１枚の光ディスクにおいて
情報記録層を複数積層させることに対しても利点を有すると考えられる。
【００４６】
また、レーベル層は、モノマー、オリゴマー、光重合開始剤、及び添加剤から構成され
た光組成変化樹脂から成る樹脂基板であるので、レーベル層に照射される第２のレーザビ
ームにより照射された部位が組成変化を起こし、これにより可視光特性が変化するので、
レーベル層に立体的な可視情報を形成することが可能となる。
【発明を実施するための最良の形態】
【００４７】
以下、添付図面を参照しつつ、本発明の実施形態について説明するが、先ず、本実施形
態の光ディスクの構成について説明し、その後、その光ディスクを対象としてその光ディ
スクに立体的な可視情報を形成することができる本実施形態の光ディスク装置の構成及び
動作等について説明する。
【００４８】
図１は、本実施形態で想定した光ディスクの構造を示す側断面図である。ここでは、光
ディスクとして、ＣＤの再生及び／または記録機能を付随したＤＶＤの再生及び／または
記録を行う光ディスク装置を用いて、ＤＶＤ情報の再生及び／または記録が可能であると
ともに、ＣＤについてのレーザビームが照射されることによりレーベル面に立体的な可視
情報の形成が可能なＤＶＤを想定する。
【００４９】
図１に示すＤＶＤ５０は、その厚みＴを１．２ｍｍとされ、また、基板５１、情報記録
層となる記録色素膜５２、色フィルタ（二色性反射膜）５３、及び、レーベル層５４が順
に積層されて構成されている。尚、色フィルタ５３とレーベル層５４との間には、色フィ
ルタ５３とレーベル層５４とを貼り合わせるための接着剤等から成る透明中間層５５が存
在している。また、図１はＤＶＤ５０の構造を模式的に示しており、各層の形状、寸法比
率等はこの図に示される通りではない。
【００５０】
これらの各層のうち、記録色素膜５２の上には螺旋状にグルーブ５２ａが形成されてお
り、ＤＶＤ５０に情報記録をする際には、このグルーブ５２ａ上にレーザビームが集光さ
れるように制御（フォーカス制御）されるとともに、このグルーブ５２ａに沿ってレーザ
ビームが照射されるように制御（トラッキング制御）され、グルーブ５２ａ上に記録デー
タ長に対応するピットが形成される。
【００５１】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている情報の再生が行われる。
【００５２】
尚、再生専用の光ディスクの場合は、グルーブ５２ａのような案内溝は形成されておら
ず、その代わりに、記録面に形成されている再生情報であるピットに沿ってレーザビーム
が集光されるようにトラッキング制御及びフォーカス制御される。
【００５３】
基板５１は、例えば、ポリカーボネイト樹脂から成る。
【００５４】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００５５】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００５６】
【化１】
2006134425.tif 000003
【００５７】
図２に、上記したようなシアニン色素の光学的特性として、当該シアニン色素の吸光度
及び屈折率を示す。
【００５８】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００５９】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００６０】
レーベル層５４は、所定パワー以上の所定の帯域の光（例えば、波長７８０ｎｍの赤外
光）が照射されることにより照射された部位のみ局部的に組成変化する材料が所定の厚さ
の円盤状に成型された基板であり、前記材料は、例えば、モノマー、オリゴマー、光重合
開始剤、及び、各種添加剤（安定剤、フィラー、顔料など）から構成される光組成変化樹
脂である。
【００６１】
モノマーとは、重合して大きな分子となりプラスチックを形成する有機材料である。ま
た、オリゴマーとは、モノマーを予め幾つか反応させてあるものでモノマーと同様に重合
して大きな分子となりプラスチックを形成する材料である。
【００６２】
モノマーやオリゴマーは簡単には重合反応を起こさないため光重合開始剤を配合し、こ
れにより反応を開始させる。光重合開始剤は、光を吸収して活性化（励起）し、開裂反応
、水素引き抜き、電子移動などの反応を起こす。
【００６３】
この反応により、ラジカル分子、水素イオンなど反応を開始する物質が生成する。そし
て、生成したラジカル分子や水素イオンなどがオリゴマーやモノマー分子を攻撃して重合
などの組成変化を起こさせる。
【００６４】
そして、この組成変化により、光照射した部分の可視光特性が変化する。ここで言う可
視光特性としては、視認される色についての、色相、明度、及び、彩度や、吸光特性、反
射率、透過率、光散乱等が考えられる。
【００６５】
また、所定の帯域の光（例えば、波長７８０ｎｍの赤外光）の照射により可視光特性を
変化させるレーベル層を有する従来の光ディスクの場合、そのレーベル層には、照射され
る前記所定の帯域の光を案内するためのグルーブが形成されている必要があったが、この
レーベル層５４には、そのようなグルーブを形成する必要はない。従って、レーベル層５
４にグルーブを形成するための製造工程やその工程で使用される金型等が不要となるので
、ＤＶＤ５０の製造コストは従来のものよりも低減することになる。
【００６６】
ＤＶＤ５０は、上記のような各層を備えるよう製造されるのであれば、製造方法を問う
ものではないが、例えば、基板５１上に記録色素膜５２及び色フィルタ５３を蒸着させた
ものと、光組成変化樹脂から成る樹脂基板であるレーベル層５４とを、色フィルタ５３側
とレーベル層５４とを対向させて透明中間層５５を構成する接着剤等で貼り合わせること
により製造することができる。尚、透明中間層５５は透明であることが好ましい。
【００６７】
次に、上述したＤＶＤ５０にレーベル印刷を行うことのできる光ディスク装置を説明す
る。図３は、本実施形態に係る光ディスク装置の構成を示すブロック図である。図３に示
す光ディスク装置は、ＣＤの再生及び／または記録機能を付随したＤＶＤの再生及び／ま
たは記録を行う光ディスク装置である。
【００６８】
図３に示すように、光ディスク装置１００は、バックエンドであるパーソナルコンピュ
ータ（ＰＣ）１１０に接続されており、光ピックアップ１０、フロントエンドプロセッサ
（ＦＥＰ）１３、レーザパワーコントロール（ＬＰＣ）回路１４ａ、１４ｂ、サーボ回路
１５、モータ駆動回路１６、制御部１７、ステッピングモータ１８、ドライバ１９、モー
タコントローラ２０、スピンドルモータ２１、バッファメモリ２２を備えている。
【００６９】
スピンドルモータ２１は、データを記録再生する対象となるＤＶＤ５０を回転駆動する
ためのモータであり、モータ駆動回路１６によりその回転数が制御される。モータ駆動回
路１６には、制御部１７からの指示信号、及び、スピンドルモータ２１またはスピンドル
モータ２１に設けられたセンサ等からフィードバックされるスピンドルモータ２１の回転
数に応じた周波数のパルス信号が供給され、モータ駆動回路１６は、これらの供給される
信号に基づいてスピンドルモータ２１の回転制御を行う。尚、スピンドルモータ２１の回
転駆動方式には、ＤＶＤ５０を角速度一定で回転駆動する方式（ＣＡＶ方式：Constant A
ngular Velocity）や、一定の記録線速度となるようにＤＶＤ５０を回転駆動する方式（
ＣＬＶ方式：Constant Linear Velocity）があるが、いずれを用いるようにしてもよい。
【００７０】
光ピックアップ１０は、スピンドルモータ２１により回転駆動されるＤＶＤ５０に対し
てレーザビームを照射するユニットである。
【００７１】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２やレーベル層５４）に集光させる
ための光学系４０と、反射光を受光する受光素子３６と、受光素子３６からの受光信号を
増幅するヘッドアンプ（ＨＡ）１２と、レーザダイオード３７ｂの位置を光軸方向に移動
させるレーザダイオード（ＬＤ）移動部４１を備えている。
【００７２】
ＬＤＤ１１ａは、図３に示す制御部１７からの指示信号と、ＬＰＣ回路１４ａからの制
御信号に従ってレーザダイオード３７ａを駆動し、ＬＤＤ１１ｂは、制御部１７からの指
示信号と、ＬＰＣ回路１４ｂからの制御信号に従ってレーザダイオード３７ｂを駆動する
。
【００７３】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、対物レンズ３２を経て、図５に示
すように、ＤＶＤ５０の記録面である記録色素膜５２に集光される。
【００７４】
このレーザビームＬ１は、ＤＶＤ５０の色フィルタ５３において反射されるので、記録
色素膜５２に対する情報の再生または記録のために照射されるレーザビームＬ１が、レー
ベル層５４に対して、画像形成として意図しない画像を形成してしまうなどの悪影響を及
ぼすことを回避することができる。
【００７５】
そして、ＤＶＤ５０の色フィルタ５３で反射された３つのレーザビームＬ１は、再び、
対物レンズ３２、１／４波長板３１、コリメータレンズ３０、偏光ビームスプリッタ３９
ｂを透過し、偏向ビームスプリッタ３９ａで反射されて、シリンドリカルレンズ３３を経
て、受光素子３６に入射するようになっている。
【００７６】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調して制御部１
７に供給する。
【００７７】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００７８】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、対物レンズ３２を経て、図５に示す
ように、レーベル層５４内に集光される。
【００７９】
レーザビームＬ２のレーベル層５４内における焦点位置は、ＬＤ移動部４１がレーザダ
イオード３７ｂの位置を光軸方向に移動させることにより、レーベル層５４の厚さ方向に
移動させることができる。そして、レーベル層５４のレーザビームＬ２の主ビームが集光
された部分は、上述したように、組成変化を起こし可視光特性が変化する。図５において
、レーベル層５４内の白抜き部分は、照射されたレーザビームＬ２が集光されたことによ
り組成変化を起こし可視光特性が変化した部分を示している。
【００８０】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、制御部１７によって指示される最適レーザパワーの目標値と一致する
値のレーザパワーがレーザダイオード３７ａ、３７ｂから出射されるようにＬＤＤ１１ａ
、１１ｂを制御する。ここで行われるＬＰＣ回路１４ａ、１４ｂによるレーザパワー制御
は、前記フロントモニタダイオードから供給される電流値を用い、目標となる強度のレー
ザビームがレーザダイオード３７ａ、３７ｂから照射されるように制御するフィードバッ
ク制御である。
【００８１】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００８２】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００８３】
ここで、光ピックアップ１０から出射されＤＶＤに照射される上述した３つのレーザビ
ームＬ１は、主ビームのスポット中心がＤＶＤ５０の１つのグルーブ５２ａ（図１参照）
の中心に位置したときに、一方の副ビームのスポットがそのグルーブ５２ａの内側面に、
他方の副ビームのスポットがそのグルーブ５２ａの外側面にそれぞれかかるような位置関
係にある。
【００８４】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００８５】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００８６】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上の目標位置に正確に合わせることができる（フォーカス制御）。
【００８７】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、制御部１７から指示される光ピックアップ１０の径方向へ
の移動方向および移動量を含む移動開始指示にしたがって、移動量や移動方向に応じたパ
ルス信号を生成し、モータドライバ１９に出力する。即ち、ステッピングモータ１８が光
ピックアップ１０をＤＶＤ５０の径方向に移動させること、及び、スピンドルモータ２１
がＤＶＤ５０を回転させることにより、光ピックアップ１０のレーザビーム照射位置をＤ
ＶＤ５０の様々な位置に移動させることができる。
【００８８】
また、制御部１７は、図示しないＣＰＵ（Central Processing Unit）、ＲＯＭ（Read 
Only Memory）、ＲＡＭ（Random Access Memory）を備えており、ＣＰＵは、ＲＯＭに格
納されたファームウェア（プログラム）にしたがって光ディスク装置１００の装置各部を
制御し、ＤＶＤ５０に対する再生または記録のための各種処理、及び、レーベル印刷のた
めの各種処理を中枢的に制御している。尚、ＲＡＭは各種処理時のワークメモリとして使
用される。
【００８９】
制御部１７は、情報再生時には、レーザダイオード３７ａから再生レベルのレーザビー
ムＬ１を出射させるためにＬＤＤ１１ａ及びＬＰＣ回路１４ａに照射指示信号を与える。
再生レベルとは、上述したサーボ回路１５によるフォーカス制御及びトラッキング制御の
ために必要な反射光が得られる照射パワーのレベルを言い、この再生レベルのレーザビー
ムＬ１では、ＤＶＤ５０の記録色素膜５２に記録されている情報（ピット）を読み取るこ
とはできるが、記録色素膜５２への情報記録を行うことはできない。そして、ＤＶＤ５０
の記録色素膜５２から読み出されＦＥＰ１３で復調された音楽データ等の各種データをバ
ックエンドであるＰＣ１１０へ送信し、ＰＣ１００の各種再生手段でそのデータが再生さ
れる。
【００９０】
また、情報記録時には、ＤＶＤ５０に対して記録する音楽データや映像データ等の情報
記録データが、バックエンドであるＰＣ１１０から送信されバッファメモリ２２に蓄積さ
れる。そして、制御部１７はこのバッファメモリ２２に蓄積された情報記録データに基づ
いて、光ピックアップ１０から記録レベルのレーザビームＬ１を出射させるためにＬＤＤ
１１及びＬＰＣ回路１４に照射指示信号を与え、ＤＶＤ５０の記録色素膜５２に情報の記
録を行う。この記録レベルとは、記録色素膜５２に情報（ピット）を書き込む照射パワー
のレベルを言う。
【００９１】
また、可視情報形成時には、可視情報データがバックエンドであるＰＣ１１０から送信
されバッファメモリ２２に蓄積される。この可視情報データとは、光ディスクのレーベル
層５４に形成される可視情報の形状を示すデータであり、この可視情報が立体像である場
合は、３次元ＣＡＤ（Computer Aided Design）上で作成したその立体像の立体形状を示
す３次元データから、前記立体像をレーベル層５４の厚さ方向に所定のスライスピッチ（
３０μｍ〜７０μｍ）でスライスした各断面形状を示すスライスデータをその各断面形状
ごとに作成し、この各断面形状ごとの複数のスライスデータがバッファメモリ２２に蓄積
されるようになっている。また、このスライスデータは、ＰＣ１１０により、前記立体像
の各断面形状を示すビットマップデータを極座標形式のデータに変換されたたものであり
、ＤＶＤ５０の中心点を中心とする多数の同心円上の複数の各座標点毎にその点の階調度
（濃淡）を示す情報が記述されているデータである。
【００９２】
そして、制御部１７はバッファメモリ２２に蓄積された複数のスライスデータに基づい
て、レーベル層５４を構成する光組成変化樹脂を組成変化させるために必要なパワーのレ
ーザビームＬ２をレーザダイオード３７ｂから出射させるためにＬＤＤ１１ｂ及びＬＰＣ
回路１４ｂに照射指示信号を与え、これにより、レーベル層５４のレーザビームＬ２が照
射された部分が組成変化を起こし、レーベル層５４に可視情報が形成される。
【００９３】
次に、このような構成の光ディスク装置１００のＤＶＤ５０のレーベル層５４への立体
的な可視情報の形成動作を、図７に示すフローチャートを参照して説明する。
【００９４】
先ず、光ディスク装置１００にＤＶＤ５０がセットされ、ユーザがＰＣ１１０を操作す
ることにより、セットしたＤＶＤ５０への可視情報形成指示がＰＣ１１０から制御部１７
へ与えられる（ステップＳ１）。このとき、レーベル層５４に形成する立体的な可視情報
、即ち、形成する立体像の上述した複数のスライスデータがＰＣ１１０からバッファメモ
リ２２に送信され、蓄積される。
【００９５】
次に、制御部１７は、モータ駆動回路１６に回転指示信号を与えて、スピンドルモータ
２１によりＤＶＤ５０を所定速度で回転させる（ステップＳ２）。
【００９６】
そして、制御部１７は、ＬＤＤ１１ａ及びＬＰＣ回路１４ａに照射指示信号を与え、レ
ーザダイオード３７ａから再生レベルのレーザビームＬ１をＤＶＤ５０へ照射させる（ス
テップＳ３）。尚、以後、照射されたレーザビームＬ１のレーベル面５９からの反射光の
信号であるヘッドアンプ１２からの受光信号に基づいて、上述したサーボ回路１５による
フォーカス制御及びトラッキング制御が行われる。
【００９７】
次に、制御部１７は、レーザビームＬ２のレーベル層５４の厚さ方向の焦点位置の初期
化を行う（ステップＳ４）。即ち、レーザビームＬ２の焦点位置がレーベル層５４内の最
も外側の断面上になるように、ＬＤ移動部４１に移動指示信号を与えてレーザダイオード
３７ｂの位置を移動させる。ここで、レーベル層５４内の断面とは、バッファメモリ２２
に記憶されている複数のスライスデータ作成の際に、形成される立体像をスライスした前
記スライスピッチ（３０μｍ〜７０μｍ）でレーベル層５４を厚さ方向にスライスした断
面のことである。
【００９８】
そして、制御部１７は、バッファメモリ２２に蓄積されている複数のスライスデータの
うち、レーベル層５４における最も外側の断面形状を示すスライスデータを参照し、その
スライスデータに基づいて、モータコントローラ２０に移動開始指示を与えて可視情報形
成のためのレーザ照射を行う位置へ光ピックアップ１０を移動させながら、ＬＤＤ１１ｂ
、ＬＰＣ１４ｂに照射指示信号を与え、光ピックアップ１０からレーザビームＬ２をレー
ベル層５４へ照射させる（ステップＳ５）。尚、このときのレーザビームＬ２のパワーは
、参照するスライスデータに含まれる階調度（濃淡）に応じて決められる。これにより、
レーベル層５４に形成する立体像のレーベル層５４における最も外側の断面形状が、レー
ベル層５４の最も外側の断面に形成される。
【００９９】
次に、制御部１７は、レーザビームＬ２の焦点位置が前記スライスピッチだけレーベル
層５４の内側に移動するように、ＬＤ移動部４１に移動指示信号を与えてレーザダイオー
ド３７ｂの位置を移動させる（ステップＳ６）。
【０１００】
そして、制御部１７は、バッファメモリ２２に蓄積されている複数のスライスデータの
うち、直前に参照したスライスデータが示す断面形状の次の内側の断面形状を示すスライ
スデータを参照し、そのスライスデータに基づいて、モータコントローラ２０に移動開始
指示を与えて可視情報形成のためのレーザ照射を行う位置へ光ピックアップ１０を移動さ
せながら、ＬＤＤ１１ｂ、ＬＰＣ１４ｂに照射指示信号を与え、光ピックアップ１０から
レーザビームＬ２をレーベル層５４へ照射させる（ステップＳ７）。尚、このときのレー
ザビームＬ２のパワーは、参照するスライスデータに含まれる階調度（濃淡）に応じて決
められる。これにより、レーベル層５４に形成する立体像のレーベル層５４における次の
内側の断面形状が、レーベル層５４の次の内側の断面に形成される。
【０１０１】
次に、制御部１７は、バッファメモリ２２に蓄積されている複数のスライスデータのす
べてに対してレーザビームＬ２の照射による断面形状形成処理を行ったか否か、即ち、形
成すべきすべての断面形状を形成し終えたか否かを判別し（ステップＳ８）、まだ、すべ
て形成し終えていないと判別したときは（ステップＳ８のＮｏ）、ステップＳ６に戻り、
レーベル層５４の次の内側の断面に対する断面形状形成を継続する。
【０１０２】
一方、すべて形成し終えたと判別したときは（ステップＳ８のＹｅｓ）、ＬＤＤ１１ａ
及びＬＰＣ回路１４ａへの照射指示信号を停止し、レーザダイオード３７ａからのレーザ
ビームＬ１の照射を停止するとともに、モータ駆動回路１６を制御してモータ２１による
ＤＶＤ５０の回転を停止させる（ステップＳ９）。以上で、レーベル層５４への立体な可
視情報形成動作が終了する。
【０１０３】
このようにして、レーベル層５４の前記スライスピッチごとの断面に、その断面に対応
した立体像の断面形状がレーベル層５４の外側の断面から順に形成され、それらの断面形
状が積層されることにより、レーベル層５４に立体像が形成される。
【０１０４】
また、レーベル層５４に照射されるレーザビームＬ２は、別途、照射されているレーザ
ビームＬ１の反射光に基づいて、対物レンズ３２がサーボ回路１５によりフォーカス制御
及びトラッキング制御されているので、レーベル層５４におけるそのとき参照しているス
ライスデータが示す座標点（レーザビームＬ２の照射位置を示す座標点）に正確に位置合
わせ及びピント調整されている。
【０１０５】
従って、ＤＶＤ５０のレーベル層５４には、フォーカス制御及びトラッキング制御のた
めのグルーブ等が設けられていないにも拘わらず、レーベル層５４の所望の位置に正確に
レーザビームＬ２が照射されることになる。これにより、ＤＶＤ５０の回転時に径方向や
厚さ方向の面振れが生じたとしても、ＤＶＤ５０のレーベル層５４に所望の立体像を正確
に形成することができる。
【０１０６】
以上説明したように、本実施形態に示すＤＶＤ５０及び光ディスク装置１００によれば
、ＤＶＤ５０に対して、本来の情報の再生または記録を行うだけでなく、レーザビームＬ
２を照射することにより、レーベル層５４に立体的な可視情報を正確に形成することがで
きる。
【０１０７】
また、以上説明した本実施形態に示す光ディスクはＤＶＤであり、光ディスク装置はＤ
ＶＤの再生または記録用の光ディスク装置であったが、本発明は他の光ディスク及び光デ
ィスク装置にも適用することが可能である。具体的には、例えば、ＣＤや、次世代ＤＶＤ
である４０５ｎｍ帯域のレーザビームを用いて再生／記録を行う光ディスクに立体的な可
視情報を形成する例についても、本発明は適用可能である。
【０１０８】
また、以上説明した本実施形態に示すＤＶＤ５０では、情報記録層である記録色素層５
２とレーベル層５４の間に、二色相反射膜である色フィルタ５３が配置されたが、本発明
の光ディスクは、このような構成に限定されない。例えば、記録色素層５２が、二色相反
射膜を構成できるような層（上記したような、ＤＶＤの記録に利用される帯域の反射率が
３０％以上であり、かつ、ＣＤの再生に利用される帯域の透過率が９０％以上である層）
によって構成される場合には、色フィルタ５３は省略されても良い。但し、本発明に従っ
た光ディスクでは、記録色素膜５２とレーベル層５４との間に、熱干渉防止用の中間層が
形成されることが好ましい。
【０１０９】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１１０】
【図１】本発明の光ディスクの一実施形態であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】図３に示す光ディスク装置の立体的な可視情報の形成動作を説明するためのフローチャートである。
【符号の説明】
【０１１１】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール（ＬＰＣ）回路
１５    サーボ回路
１６    モータ駆動回路
１７    制御部
１８    ステッピングモータ
１９    ドライバ
２０    モータコントローラ
２１    スピンドルモータ
２２    バッファメモリ（記憶部）
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
４１    レーザダイオード（ＬＤ）移動部（焦点位置移動手段）
５０    ＤＶＤ（光ディスク）
５１    基板
５２    色素記録膜（情報記録層）
５２ａ    グルーブ
５３    色フィルタ（二色性反射膜）
５４    レーベル層
５５    透明中間層
１００    光ディスク装置
１１０    パーソナルコンピュータ（ＰＣ、バックエンド）
Ｌ１    レーザビーム（第１のレーザビーム）
Ｌ２    レーザビーム（第２のレーザビーム）
【図１】
2006134425.tif 000004
【図２】
2006134425.tif 000005
【図３】
2006134425.tif 000006
【図４】
2006134425.tif 000007
【図５】
2006134425.tif 000008
【図６】
2006134425.tif 000009
【図７】
2006134425.tif 000010